(57)【要約】【課題】簡単な構造でロック信頼性を高めたサムターン装置を提供することを目的とする。【解決手段】錠装置１を施解錠操作するサムターン２と、  サムターン２に向けて並進移動して該サムターン２に係脱し、係止状態でサムターン２への回転操作を禁止する閂部材３と、  室内側からロック位置とアンロック位置間を移動操作可能で、ロック位置で閂部材３のサムターン２との解除方向への移動を規制するロック操作部材４とを有し、  前記サムターン２またはロック操作部材４の少なくとも一方には、当該部材の回転操作により閂部材３を反対方に押し出すカム部５が設けられる。【選択図】  図１
2007002559.tif 000002
【特許請求の範囲】
【請求項１】
錠装置を施解錠操作するサムターンと、
サムターンに向けて並進移動して該サムターンに係脱し、係止状態でサムターンへの回転操作を禁止する閂部材と、
室内側からロック位置とアンロック位置間を移動操作可能で、ロック位置で閂部材のサムターンとの解除方向への移動を規制するロック操作部材とを有し、
前記サムターンまたはロック操作部材の少なくとも一方には、当該部材の回転操作により閂部材を反対方に押し出すカム部が設けられるサムターン装置。
【請求項２】
前記カム部がサムターン側に設けられ、
かつ、サムターンはトーションスプリングにより所定の初期回転位置に付勢される請求項１記載のサムターン装置。
【請求項３】
前記ロック操作部材の閂部材に対する移動規制部には閂部材が嵌合する複数の凹溝が形成される請求項１または２記載のサムターン装置。
【請求項４】
前記ロック操作部材は、回転摘みである請求項１、２または３記載のサムターン装置。
【発明の詳細な説明】
【技術分野】
【０００１】
本発明はサムターン装置に関するものである。
【背景技術】
【０００２】
室外からのサムターンの不正操作による錠装置の解錠を防止することのできるサムターン装置としては、特許文献１に記載のものが知られている。この従来例において、サムターンの側方には円弧状の切欠部を備えた円板が配置される。
【０００３】
円板は室内から直接回転操作可能であり、ロック回転姿勢において切欠部がサムターン側に設けたピンの回転軌跡に干渉してサムターンに対する回転操作が禁止される。
【特許文献１】特開２００４-３５３３８４号公報
【発明の開示】
【発明が解決しようとする課題】
【０００４】
しかし、上述した従来例はサムターンの回転を円板により直接に規制しているために、以下の問題がある。すなわち、サムターンの回転を円板等の規制体により規制するためには、規制体にサムターンの被規制部（上記従来例におけるピン）の移動経路を閉塞する規制部と、移動を許容するための移動経路を設定する必要がある。
【０００５】
円弧状となる移動経路は、上述した従来例のように、円板の周壁を切り欠くことにより簡単に形成できるが、このように形成すると、円板の切欠部がサムターンのピンの回転軌跡に僅かでもかかると、サムターン側への操作力により円板は回転し、ロック状態が解除されてしまう。この結果、外部から先ず円板を大まかな回転位置まで回転操作した後、サムターンを回転させることによって、比較的容易に外部からの不正解錠が可能であり、防犯性能が劣る。
【０００６】
この問題は、アンロック位置に対応した位置においてのみピンに正対する移動経路を円板に設定したり、あるいは円板のロック時における空転を防止することにより解消することができるが、前者の場合には、円板中央部に溝状の円弧状移動経路を形成する必要が生じ、形状が複雑になる上に、大型化、構造の複雑化を惹起する。また、後者にあっては、空転防止機構を新たに設ける必要が生じ、構造が複雑になる。
【０００７】
本発明は、以上の欠点を解消すべくなされたものであって、簡単な構造でロック信頼性を高めたサムターン装置を提供することを目的とする。
【課題を解決するための手段】
【０００８】
本発明によれば上記目的は、
錠装置１を施解錠操作するサムターン２と、
サムターン２に向けて並進移動して該サムターン２に係脱し、係止状態でサムターン２への回転操作を禁止する閂部材３と、
室内側からロック位置とアンロック位置間を移動操作可能で、ロック位置で閂部材３のサムターン２との解除方向への移動を規制するロック操作部材４とを有し、
前記サムターン２またはロック操作部材４の少なくとも一方には、当該部材の回転操作により閂部材３を反対方に押し出すカム部５が設けられるサムターン装置を提供することにより達成される。
【０００９】
サムターン装置は錠装置１を施解錠操作するためのサムターン２と、ロック操作部材４と、これらサムターン２とロック操作部材４との間を並進移動し、サムターン２側への移動終端位置においてサムターン２に形成された係止部に係止してサムターン２の回転を規制する閂部材３とを有する。
【００１０】
サムターン２を回転操作して錠装置１を施解錠操作するためには、上記閂部材３のサムターン２との係止を解除することが必要であり、ロック操作部材４は、ロック位置において閂部材３の係止解除方向への移動を規制することによりロック状態を保持する。
【００１１】
閂部材３は、サムターン２とロック操作部材４との中間に位置し、いずれかの部材の回転によって、回転側部材に形成されたカム部５により他方側に押し出されて係脱位置間で駆動されれば足りるが、自重、あるいはばね等の特別な付勢手段によりサムターン２、あるいはロック操作部材４のいずれかに付勢して不用意なモード変更を防止するのが望ましい。
【００１２】
サムターン２とロック操作部材４との間に並進移動する閂部材３によりサムターン２の回転規制を行う本発明において、サムターン２規制時の閂部材３とロック操作部材４との位置関係を自由に設定することができる。この結果、サムターン２に回転操作力を与えた場合でもロック操作部材４に作動力が発生ないような位置関係に両者を配置することが可能となり、ロック操作部材４に空転防止手段を設けたり、あるいはサムターン２に回転操作力を加えた際のロック操作部材４の動きによりアンロック位置を探ることが困難になる。
【００１３】
また、サムターン２との係脱時のストローク長も自由に設定でき、かつ、閂部材３は直線移動するために、ロック操作部材４には上記ストローク長に合致する直線経路を形成するだけでサムターン２の回転を制御することが可能になる。この結果、ロック操作部材４のアンロック位置を厳密に決定することが可能になり、室外からのロック操作部材４への操作による不正解錠操作が困難になる。
【００１４】
さらに、ロック操作部材４の閂部材３に対する移動規制部に凹溝６を形成し、閂部材３を嵌合させた場合には、閂部材３がロック操作部材４に圧接した状態での相対移動が禁止される。
【００１５】
この結果、室外からサムターン２に解錠方向の操作力を与えながらロック操作部材４を操作し、アンロック位置を探ろうとしても、ロック操作部材４への移動操作ができないために、アンロック位置を知ることができない。
【発明の効果】
【００１６】
本発明によれば、簡単な構造でロック信頼性を高めることができる。
【発明を実施するための最良の形態】
【００１７】
図１に示すように、サムターン装置はドア７の室内側壁面に固定されるサムターンケース８を有する。サムターンケース８にはサムターン挿通孔８ａとロック軸挿通孔８ｂとが設けられ、サムターン挿通孔８ａにサムターン２が、ロック軸挿通孔８ｂにはロック操作部材４が回転自在に支持される。
【００１８】
サムターン２は上記サムターン挿通孔８ａに挿通する軸部２ａの一端に操作摘み部２ｂを有し、該操作摘み部２ｂをサムターンケース８の室内側表面から突出させて装着される。サムターンケース８には、操作摘み部２ｂの下方に表示窓８ｃが開設され、後述するサインプレート９を透視できる。
【００１９】
ロック操作部材４は、サムターンケース８のロック軸挿通孔８ｂに挿通する挿通軸４ａの一端にダイヤル部４ｂを有し、該ダイヤル部４ｂをサムターンケース８の室内側表面から突出させて装着される。ダイヤル部４ｂとサムターンケース８には、ロック操作部材４が所定の回転角度まで回転した際に合致する一対の合いマーク１０、１０が表示される。ダイヤル部４ｂに設けられる合いマーク１０は、室外から位置を知られないように、触れた際に凹凸感のないように工夫される。
【００２０】
上記サムターン２の軸部２ａには、円板状のサムターンプレート１１が回転方向に連結される。図２（ａ）に示すように、サムターンプレート１１には外周の一部を切り欠くことによりカム部５が形成される。このカム部５は、サムターンプレート１１の回転に伴って後述する閂部材３のカム突部３ａに並進方向分力を効率的に発生させることができるように、頂角が十分大きなＶ字形状をなす。
【００２１】
また、サムターン２はトーションスプリング１２によってサムターンプレート１１のカム部５が閂部材３のカム突部３ａに正対する回転位置側に付勢される。図３に示すように、サムターンケース８とサムターン２の軸部２ａにはトーションスプリング１２の脚部１２ａを係止するためのばねかけ部１３が形成される。
【００２２】
さらに、サムターンケース８にはサインプレート９が上記サムターン２と同軸周りに回転自在に保持される。このサインプレート９の後端（以下、室内側を「前端」、反対側を「後端」とする。）には錠連結杆９ａが突設される。錠連結杆９ａは錠装置１に連結され、サインプレート９が回転すると錠連結杆９ａを経由して錠装置１のデッドボルト１ａが進退駆動される。このように、サインプレート９の回転位置は錠装置１の施解錠状態に対応しており、これを利用して、サインプレート９の前端面には図外の施解錠表示部が表示され、施解錠状態を上記サムターンケース８の表示窓８ｃから利用者に知らせることができる。
【００２３】
サムターン２への回転操作によりサインプレート９を回転させるために、サムターン２の軸部２ａにはカム突起２ｃが、サインプレート９にはカム孔が設けられる。カム突起２ｃは軸部２ａの後端面から突設され、サインプレート９側のカム孔９ｂに挿入される。
【００２４】
カム孔９ｂは円弧状の長孔により形成され、サムターン２とサインプレート９との間に所定の遊び角が設定される。この遊び角は、サムターン２が回転不能にロックされた状態であっても、室外からの、例えば解錠キーを利用した錠装置１の施解錠操作を可能にするために設定され、錠装置１の中立回転位置から施解錠回転位置までの操作角に一致する。錠装置１が中立回転位置振り分けで９０°ずつ、合計１８０°の操作角を有するこの実施の形態において、上記遊び角は９０°に設定される。
【００２５】
一方、上記ロック操作部材４にはロックプレート１４が固定される。図４に示すように、ロックプレート１４の後端面には所定ピッチで多数のクリック凹部１４ａが凹設され、サムターンケース８には圧縮スプリング１５ａによりロックプレート１４側に付勢されるクリックピン１５が装着される（図１（ａ）参照）。クリック凹部１４ａは挿通軸４ａと同心円上に配置されるとともに、クリックピン１５はクリック凹部１４ａに合致する位置に設けられ、ロックプレート１４、すなわちロック操作部材４への回転操作時における節度感を提供する。
【００２６】
また、ロックプレート１４の外周には所定ピッチで凹溝６が形成される。凹溝６は閂部材３のカム突部３ａが嵌合可能な幅寸法に形成され、さらに、一の凹溝６は溝深さを深くして閂部材退避凹部１６とされる。閂部材退避凹部１６は、上記ダイヤル部４ｂの合いマーク１０とサムターンケース８上の合いマーク１０とが合致する回転位置において図２（ａ）に示すように、サムターンプレート１１のカム部５に正対する。
【００２７】
閂部材３は、板状のスライダ部３ｂの後端面からカム突部３ａを突設して形成される。図２に示すように、閂部材３はスライダ部３ｂがロック操作部材４の回転中心とサムターン２の回転中心を結ぶ線分上で並進移動するようにサムターンケース８によりガイドされる。また、閂部材３は、図１（ａ）に示すように、圧縮スプリング１７によりサムターンプレート１１側に付勢される。
【００２８】
したがってこの実施の形態において、図１に示すように、ロック操作部材４の合いマーク１０とサムターンケース８側の合いマーク１０が合致している状態がアンロック状態に対応する。アンロック状態においては、図２（ａ）、図４（ａ）に示すように、ロックプレート１４の閂部材退避凹部１６は閂部材３のカム突部３ａに正対する。また、サムターン２の無負荷状態でカム突部３ａにはサムターンプレート１１のカム部５が正対し、圧縮スプリングの付勢力によりカム突部３ａはカム部５に落ち込んだロック位置にある。
【００２９】
この状態から、サムターン２を回転操作すると、図４（ｂ）に示すように、サムターンプレート１１のカム部５によりカム突部３ａは上方に押し上げられ、ロックプレート１４の閂部材退避凹部１６内に嵌合する。この状態からさらにサムターン２を回転すると、図４（ｃ）に示すように、カム突部３ａは閂部材退避凹部１６内に完全に収容され（アンロック位置）、以後、サムターン２を施解錠ストローク終端まで回転させて錠装置１を施解錠させることができる。
【００３０】
これに対し、ロック操作部材４の合いマーク１０がサムターンケース８の合いマーク１０に合致しない場合には、図５（ａ）に示すように、閂部材退避凹部１６は閂部材３のカム突部３ａに正対しない。この状態で閂部材３は上方への移動を規制されてロック位置に保持されるために、サムターン２を回転させることができない。
【００３１】
また、合いマーク１０が合致しない状態でサムターン２に回転操作力を与え、閂部材３をロックプレート１４側に移動させると、図５（ｂ）の状態を経て、あるいは直接に、図５（ｃ）に示すようにカム突部３ａが凹溝６に嵌合する。この状態ではサムターン２を回転させることができないために、サムターン２に回転操作力を与えながらロック操作部材４を回転させて閂部材３のカム突部３ａを閂部材３に嵌合、退避させる探り操作を行うことができない。
【００３２】
この結果、ロック操作部材４とサムターンケース８双方の合いマーク１０を目視することなくアンロック状態に移行させることができず、室外からの不正施解錠操作を完全に防止できる。
【図面の簡単な説明】
【００３３】
【図１】本発明を示す図で、（ａ）は断面図、（ｂ）は正面図である。
【図２】本発明の動作を示す図で、（ａ）は図１（ａ）の２Ａ-２Ａ線断面図、（ｂ）は図１（ａ）の２Ｂ-２Ｂ線断面図である。
【図３】サムターンの復帰機構を示す図で、（ａ）は図１（ａ）の３Ａ-３Ａ線断面図、（ｂ）はサムターンを回転させた状態における図１（ａ）の３Ａ-３Ａ線断面図である。
【図４】閂部材の動作を示す図で、（ａ）はサムターンが中立回転位置にあるときの図２（ａ）に対応する図、（ｂ）はカム部により閂部材が押し上げられた状態を示す図、（ｃ）はサムターンを回転させた状態を示す図である。
【図５】ロック状態における動作を示す図で、（ａ）は閂部材のカム突部が凹溝に嵌合した状態を示す図、（ｂ）はカム突部が凹溝間に位置した状態を示す図、（ｃ）はアンロック位置の探り操作を行った状態を示す図である。
【符号の説明】
【００３４】
１        錠装置
２        サムターン
３        閂部材
４        ロック操作部材
５        カム部
６        凹溝
１２      トーションスプリング
【図１】
2007002559.tif 000003
【図２】
2007002559.tif 000004
【図３】
2007002559.tif 000005
【図４】
2007002559.tif 000006
【図５】
2007002559.tif 000007